(57)【要約】      （修正有）【課題】マスク本体に面ファスナーを組み合わせることによって着脱を容易にする。【解決手段】マスク本体、およびマスク本体の両縁に取り付けた紐部材、マスク本体の一方の縁の紐部材に取り付けた面ファスナー第１要素、ならびにマスク本体の他方の縁の紐部材に取り付けた面ファスナー第２要素を有して成り、マスク本体を人の鼻部および口部を覆うように配置する場合、面ファスナー第１要素および面ファスナー第２要素は、人の後頭部にて相互に係合できる面ファスナーを構成することを特徴とする。【選択図】図１
0003133160.tif 000002
【実用新案登録請求の範囲】
【請求項１】
マスク本体、ならびに
マスク本体のその両縁に取り付けられた面ファスナー第１要素および面ファスナー第２要素
を有して成り、
マスク本体を人の鼻部および口部を覆うように配置する場合、面ファスナー第１要素および面ファスナー第２要素は、人の後頭部にて相互に係合できる面ファスナーを構成することを特徴とするマスク。
【請求項２】
面ファスナーは、いわゆるマジックテープであり、面ファスナー第１要素および面ファスナー第２要素は、一方が係合部材として作用し、他方が被係合部材として作用することを特徴とする請求項１に記載のマスク。
【請求項３】
マスク本体、および
マスク本体の両縁に取り付けた紐部材、
マスク本体の一方の縁の紐部材に取り付けた面ファスナー第１要素、ならびに
マスク本体の他方の縁の紐部材に取り付けた面ファスナー第２要素
を有して成る、マスクであって、
マスク本体を人の鼻部および口部を覆うように配置する場合、面ファスナー第１要素および面ファスナー第２要素は、人の後頭部にて相互に係合できる面ファスナーを構成することを特徴とするマスク。
【請求項４】
マスク本体の両縁に取り付けた各々の紐部材は、マスク本体の各縁の対向する対の角部分に、それぞれの端部を取り付けた単一の紐部材であり、面ファスナー第１要素および面ファスナー第２要素は、それぞれの端部が、該単一の紐部材の中央付近に取り付けられている請求項３に記載のマスク。
【請求項５】
面ファスナーは、いわゆるマジックテープであり、面ファスナー第１要素および面ファスナー第２要素は、一方が係合部材として作用し、他方が被係合部材として作用すること特徴とする請求項３または４に記載のマスク。
【請求項６】
紐部材は、長手方向に伸縮可能である請求項３〜５のいずれかに記載のマスク。
【請求項７】
マスクは、医療処置用マスクである請求項１〜６のいずれかに記載のマスク。
【請求項８】
手術用マスクまたは外科用マスクである請求項７に記載のマスク。
【請求項９】
面ファスナー第１要素および面ファスナー第２要素の長さが異なる請求項１〜８のいずれかに記載のマスク。
【考案の詳細な説明】
【技術分野】
【０００１】
本考案は、マスク、特に医療処置に際して用いるマスク、即ち、医療処置用マスクに関する。より詳しくは、本考案は、例えば手術、治療等の医療処置に際して、医療処置を施す医療従事者（例えば医師、看護師等）が口部および鼻部を覆うために用いるマスクに関する。本考案のマスクは、１つの態様では、いわゆる手術用マスクまたは外科用マスク（サージカルマスク）である。しかしながら、最も広い本考案は、そのような医療処置用マスクに限られず、一般用マスク、産業用マスクをも提供する。
【背景技術】
【０００２】
手術等の医療処置に際して、医師、看護師等の術者は、例えば口腔から出るエアロゾルにより患者が感染するのを防止するために、口部および鼻部を覆うマスク、いわゆる手術用マスクまたは外科用マスクを使用する。
【０００３】
従来から一般的に使用されている手術用マスクは、マスク本体およびその両側に取り付けられた紐部材から構成されている。マスク本体は、人の口部および鼻部を覆うことができる織布、不織布、ガーゼ等の繊維製品で形成されている。マスク本体は、実質的に平坦であっても、いわゆる立体マスクと呼ばれるマスクのマスク本体であってもよく、これらは全体として実質的に矩形形状である。そして、このようなマスク本体の両側において対向する対の角部分（従って、４方の角部分）またはその近傍にそれぞれ紐部材の端部が取り付けられている。
【０００４】
このようなマスクを着用するには、例えば、口部および鼻部を覆うようにマスク本体を顔面にあてがい、最初に両側の角部分の上側に取り付けられた紐部材同士を後頭部で結び、その後、下側の角部分に取り付けられた紐部材同士を後頭部の下方で結び、上下２つの結び目を形成する。このようにマスクを着用するに際しては、以下に説明するように、種々の問題点がある。
【考案の開示】
【考案が解決しようとする課題】
【０００５】
着用に際して、紐部材を後頭部で２回結ぶことになるが、使用後のマスクの取り外しを考慮して、いわゆる蝶々結びで結ぶのが一般的である。蝶々結びで適切に結ぶことは必ずしも容易ではなく、かなりの熟練技術を要する。特に、自分自身の目で直接見えない後頭部で結ぶために、紐部材の様子を見ながら結べない。従って、手先の器用さが要求されることになる。また、結び方に慣れていない場合、あるいはそれほど器用でない場合、結び方がタイトになり過ぎ、紐部分が顔面や頭部の皮膚に食い込み、その部分が痛くなったり、痒くなったりし、あるいは、息苦しくなる場合もある。逆に、結び方が過度にルーズになると、マスク本体と顔面との間に隙間ができ、マスクを着用する意味が半減するものとなる。近年は、蝶々結びをする機会も少なく、手先が器用でない人も増えているため、手術用マスクを適切に着用することは容易ではない。
【０００６】
また、紐部材を上下で２組の紐部材を結んでみて初めてその結び方のきつさが分かり、適切なきつさで無い場合、あるいは着用感が不快であると感じた場合には、一方または双方の結び目を解き、再び結び直す必要があるという非常に面倒な点がある。マスクの結び目を解く場合に、蝶々結びで結び目を形成しておくと、結び目の紐部材の一端を引っ張ると解くことができるが、いわゆる片蝶々結びと呼ばれる蝶々結びで結んだ場合には、どちらの紐部材の一端を引っ張っても解けるわけではなく、不適切な紐部材の一端を引っ張った場合には、結び目はいわゆる玉結び状態となり全く解けなくなる。
【０００７】
更に、手術等の処置に際しては、長時間マスクを着用している状態が継続する。マスクを長時間継続して着用する場合、マスクの位置が多少ずれることがあり、それに伴って、紐部材による締め付けの度合いがゆるくなることがある。また、何等かの理由で、マスクを外す必要がある場合がある。そのような場合には、紐部材を解いて、再度結び直す必要があるが、その場合には、上述のような問題がある。また、長時間着用する場合には、紐部材が食い込んだ皮膚部分が痒くなったり、痛くなったりするという不都合がある。
【０００８】
紐部材が角部分に４本取り付けられているマスクの代わりに、耳掛けループを構成する紐部分の端部がそれぞれマスク本体の各側の上下の角部分に取り付けられている、いわゆる耳掛けマスクが一般用マスク、産業用マスク（例えば食品工場用マスク）として提供されている。このような耳掛けマスクとして所定の形状およびサイズのもの（通常は、標準的な人に合うようなサイズのマスク）が市販されているが、これを医療処置用マスクとして使用する場合、マスク本体が口部および鼻部を適切なフィット感で覆うことは容易ではない。また、耳掛けマスクを長時間着用すると、耳の後方が痛くなることがある。従って、未だに先に説明した４本の紐部材を取り付けたマスクが主として使用されているのが現状である。従って、医療用マスクとしては、先に説明した４本の紐部材を有するマスクが好まれ、未だに多用されているというのが現実である。
【課題を解決するための手段】
【０００９】
上述のように医療処置用のマスクには種々の問題点があるにもかかわらず、４本の紐部材がマスク本体に取り付けられたマスクが現在に至るまで長年主として用いられている。そこで、考案者は、従来の医療処置用マスクの種々の問題点について検討を重ねた結果、マスク本体に面ファスナーを組み合わせることによって、そのような問題点の少なくとも１つを軽減し、好ましくは解決できるマスクを考案するに到った。
【００１０】
従って、最も広い概念において、本考案は、
マスク本体、ならびに
マスク本体のその両縁に取り付けられた面ファスナー第１要素および面ファスナー第２要素
を有して成り、
マスク本体を人の鼻部および口部を覆うように配置する場合、面ファスナー第１要素および面ファスナー第２要素は、人の後頭部にて相互に係合できる面ファスナーを構成することを特徴とするマスクを提供する。
【００１１】
本考案のマスクは、マスク本体に面ファスナーを組み合わせる点にその特徴があり、具体的には、マスク本体の両縁に面ファスナーを構成する、面ファスナー第１要素および面ファスナー第２要素を取り付ける。そのような面ファスナー第１要素および面ファスナー第２要素は、マスクを着用するに際して、人の後頭部で面ファスナーを構成できる。この態様では、面ファスナー第１要素および面ファスナー第２要素をマスク本体の両側の縁に直接取り付ける。
【００１２】
本考案の好ましい態様では、マスク本体の両縁に紐部材を取り付け、それぞれの縁に取り付けた紐部材に面ファスナー第１要素および面ファスナー第２要素を取り付ける。即ち、紐部材を介して面ファスナーを構成する要素をそれぞれマスク本体の両縁に取り付ける。紐部材と比較して、面ファスナーを構成する要素は、比較的固く、皮膚に対するフィット感（または触感）が劣るので、マスクを着用した場合に、顔面に触れる部分は、面ファスナーを構成しないのが好ましい。換言すれば、人の後頭部に触れる部分は、面ファスナーで構成し、それ以外の部分は、紐部材で構成するのが好ましい。
【００１３】
従って、好ましい態様では、本考案のマスクは、マスク本体の両縁に取り付けられた紐部材を介して面ファスナー第１要素および面ファスナー第２要素を有する。即ち、面ファスナー第１要素および面ファスナー第２要素は、マスク本体の両縁に取り付けられた紐部材を介して、マスク本体に取り付けられている。
【００１４】
従って、好ましい態様では、本考案は、
マスク本体、および
マスク本体の両縁に取り付けた紐部材、
マスク本体の一方の縁の紐部材に取り付けた面ファスナー第１要素、ならびに
マスク本体の他方の縁の紐部材に取り付けた面ファスナー第２要素
を有して成る、マスクであって、
マスク本体を人の鼻部および口部を覆うように配置する場合、面ファスナー第１要素および面ファスナー第２要素は、人の後頭部にて相互に係合できる面ファスナーを構成することを特徴とするマスクを提供する。
【００１５】
上述の本考案のマスクは、その着脱が非常に容易であるため、上述のような種々の問題がある医療処置用のマスクを代替する医療処置用マスクとして用いるのが非常に好都合であるが、そのような用途でない他の用途に用いるマスク、例えば一般用マスク、産業用マスクとしても好都合に使用できる。
【考案の効果】
【００１６】
従来のマスクでは紐部材を結び、また、解くことによってマスクの着脱を実施していたのが、本考案のマスクでは、面ファスナーを用いてマスクの着脱が可能となる。面ファスナーによる締結（または係合）および締結状態の解除は、周知の通り、面ファスナーによる着脱は、紐を結び、また、解くことと比べると遙かに容易である。マスクの着用に際して、面ファスナーによる締め具合の程度、即ち、顔面および後頭部での締結のきつさおよび緩さを所望の程度で調節できる。また、マスクの脱着に際して、面ファスナーの一方の要素を他方から単に引き離すことによって、締結状態を容易に解除することができる。従って、本考案のマスクでは、紐部材を適切に結ぶ技術とは比較にならないほど極めて平易な技術でマスクの着脱が可能となる。
【考案を実施するための形態】
【００１７】
本考案に係るマスクの一例を図１に模式的に斜視図にて示す。本明細書においてマスクを説明するに際して位置的関係を示す用語を使用するが、これらの用語は、図１に示す上下方向および左右方向を基準として用いるものとする。
【００１８】
本考案のマスク１０は、マスク本体１２、その両縁（右側の縁および左側の縁）に取り付けた紐部材１４、１６、１８、２０、ならびに紐部材に取り付けた面ファスナー２２から構成される。図示した態様では、マスク本体１２は実質的に矩形形状であり、その角部分またはその近傍に紐部材１４、１６、１８、２０の端部が取り付けられている。図から理解できるように、紐部材１４および１６は、マスク本体の左側の縁にて上下方向で対向する対の角部分に取り付けられ、紐部材１８および２０は、マスク本体の右側の縁にて上下方向で対向する対の角部分に取り付けられている。
【００１９】
尚、マスク本体の各縁に取り付けられた紐部材は、図示するように一体であるのが好ましく、即ち、紐部材１４および１６が一本の紐部材であり、また、紐部材１８および２０が一本の紐部材であるのが好ましい。換言すれば、紐部材は、耳掛けマスクのように、マスク本体の両側でループを形成してよい。この場合、１つの好ましい態様では、一般的に市販されている耳掛けマスクのループを形成している紐部分に面ファスナー要素を取り付けるだけで、本考案のマスクを製造できる。
【００２０】
本考案のマスクでは、面ファスナーは、面ファスナー要素としての面ファスナー第１要素２４および面ファスナー第２要素２６から構成されている。面ファスナー第１要素２４は、一体であるのが好ましい紐部材１４および１６に取り付けられ、面ファスナー第２要素２６は、一体であるのが好ましい紐部材１８および２０に取り付けられている。上述のように、マスク本体の両側の縁で紐部材が一体である場合（即ち、１本の紐部材で形成され、その各端がマスク本体の右側または左側の縁の上側角部分および下側角部分に取り付けら得ている場合、例えば紐部材１４と１６とが一本の紐部材で形成されている場合）、第１要素２４は、そのような１本の紐部材の中央またはその付近に取り付けるのが好ましい。紐部材１８と２０とが一本の一本の紐部材で形成されている場合、同様に、第２要素２６も、そのような１本の紐部材の中央またはその付近に取り付けるのが好ましい。
【００２１】
本考案のマスクにおいて、面ファスナーとは、面ファスナー第１要素および面ファスナー第２要素から構成され、これらの少なくとも一部分が相互に面接触した状態で面に垂直な力が作用すると、これらの要素が脱着可能に相互に結合するように係合できる。これらの要素の一方が係合部材として作用し、他方が被係合部材として作用する。面ファスナーとしては、いわゆるマジックテープと呼ばれるものを好ましく使用でき、例えばマジックテープ（登録商標）として市販されているものを使用できる。具体的には、クラレファスニング、ＹＫＫ、ヘラマンタイトン（HellermannTyton）社から市販されているものを面ファスナーとして使用できる。面ファスナーは１つ（即ち、１組のファスナー要素）を設けるのが好ましい。必要に応じて、複数の面ファスナーをもうけてもよいが、一般的に、着脱操作が煩雑になるのでそれほど好ましくない。
【００２２】
面ファスナー要素は、長尺形態であるのが好ましく、マスク本体が人の口部および鼻部を覆った状態で、マスク本体に取り付けた紐部材に取り付けた面ファスナー要素が人の後頭部で少なくとも部分的に相互に重なって接触でき、しかも、相互に重なる長さを変えることができるようなサイズであるのが好ましい。通常、大人の人の後頭部で重なり、しかも、人の標準的な個人差を考慮して、また、紐部分の長さを考慮して、大部分の人に適用できるように面ファスナー要素のサイズ（特に後頭部の周囲にて延在する時の周方向の長さ）を選択するのが好ましい。
【００２３】
また、面ファスナー第１要素と面ファスナー第２要素の長さが異なる、好ましくは明らかに異なるようにすることにより、交互に重なった面ファスナー要素のうち、引っ張ることによって結合状態が解除される方を手探りで認識できるという工夫を付加することもできる。更に、面ファスナーが髪から滑り、位置がずれないように、滑り止め材（特願２００４−２３９７９１）を面ファスナーの裏側（即ち、後頭部に接触する側）の少なくとも一部に貼り付けることもできる。
【００２４】
紐部材への面ファスナー要素の取り付けは、いずれの適当な方法で実施してもよい。一本の紐部材の各端がマスク本体の両側の縁の上下の角付近に取り付けられている場合、例えば図示するように、面ファスナー要素の端部を折り曲げて、筒状の折り曲げ部の内側に紐部材が位置した状態で端部を、その端部に隣接する面ファスナー要素の部分に（例えば接着剤、縫製、ステープラ（ホッチキス）によって）結合することによって取り付ける。このように取り付けると、紐部材の長手方向に沿って移動可能状態で面ファスナー要素を紐部材に取り付けることができ、マスクの着用者の好みに応じて、面ファスナー要素の位置を調節できる利点がある。別の態様では、上述の折り曲げ部をスナップボタンで留めることによって紐部材に取り付けてよい。このようにすると、マスク本体および紐部材（存在する場合）を使い捨てにして、面ファスナーを繰り返し使用できるようになる。
【００２５】
特に、面ファスナーの色等を変えることによって、使用者を特定でき、また、ファッション性が上がるということもある。両側の面ファスナー要素のお互いの色を変えることにより、少し離れた位置からも取り付け具合が確認できるので、不適切な取り付けがなされている場合に他人から指摘してもらいやすい。更に、別の態様では、結束を目的としたストラップタイプ（またはバンドタイプ）として市販されている面ファスナーを面ファスナー要素として用い、紐部材の中央部またはその付近の周囲に面ファスナー要素を縛り付ける（または巻き付ける）操作を両側の紐部材に行うことで、同じ用途が実現できる。接着剤、縫製、ステープラ（ホッチキス）などの結合操作が不要になる利点がある。尚、必要に応じて、緊密に縛り付けるのではなく、面ファスナー要素が紐部材に対して移動できるように緩く巻き付けてもよい。このような面ファスナーは、その表側が係合要素として機能し、裏側が被係合要素として機能するように形成されているものであってよい。
【００２６】
本考案の好ましい１つの態様では、紐部材は長手方向に多少伸縮できる材料（例えば弾性材料）を含んで成るのが好ましい。例えば紐状のゴムを含む紐部材を使用できる。この場合、面ファスナーの結合状態をそのまま維持していても、人の顔の種々の部分の動きにマスクが追従でき、マスク本体の位置が多少ずれた場合であってもマスク本体が口部および鼻部を覆っているフィット感を維持できる。その結果、マスク本体がずれた場合であっても、面ファスナーの係合状態を解除する必要性が無くなる。従って、マスクが緩むという状態になり難いとも言える。
【００２７】
本考案のマスクの着用に際しては、マスク本体１２を着用者の口部および鼻部を覆うようにあてがい、紐部分が頬、および耳付近に位置させ、そして、面ファスナー第２要素２６を後頭部にあてがい、着用感が最も心地よいと感じられる状態で面ファスナー第１要素を面ファスナー第２要素に重ねて面ファスナー第１要素に押し付けて、これらを相互に係合させ着用を完了する。着用後、不快と感じる場合には、面ファスナー第１要素を面ファスナー第２要素から引き剥がすことによって、係合状態を容易に解除できる。このような面ファスナーの係合およびその解除の操作自体は、特別な操作技術を必要とすることなく、非常に簡便であり、何度でも容易に実施できる。そのようなマスクの着脱に際して、面ファスナー要素の移動する様子を、図１にて両方向矢印にて模式的に示している。
【００２８】
図示した態様のマスクは、紐部材を介して面ファスナー要素がマスク本体に取り付けられているが、本考案のマスクの１つの態様では、紐要素を省略する。従って、マスク本体の各側の縁にそれぞれ面ファスナー第１要素および面ファスナー第２要素が取り付けられている。この場合、面ファスナー要素の端部は、マスク本体の縁の上下方向の中央部付近に位置し、端部の上下方向の長さ（または幅）マスク本体の縁の長さの相当部分（少なくとも１／５、好ましくは少なくとも１／４、より好ましくは少なくとも１／３）を含むのが好ましい。このように面ファスナー要素を配置すると、マスクの左右の両縁および上下の両縁に張力が均等に作用することになり、マスク本体が口部および鼻部を覆うという本来の機能を効果的に発現できる。この場合、ファスナー要素の端部は、マスク本体付近で大きいが、後頭部に向かって幅が徐々に、段階的に、あるいは一気に狭くなってもよい。
【００２９】
本考案のマスクを構成する要素、即ち、マスク本体、紐部材、面ファスナーは、いずれも周知のものであり、特にマスク本体および紐部材としては、公知マスクを構成するために使用されているものを使用できる。また、面ファスナーの周知であり、当業者であれば、本明細書の開示に基づいて本考案のマスクを構成するのに適当なものを選択できる。
【００３０】
上述の説明から容易に理解できるように、上述の本考案のマスクは、次のような種々の利点をもたらす：
【００３１】
面ファスナー要素を１組設けることによって、一箇所の係合・係合解除動作だけで済み、しかも、片手で一方の面ファスナー要素を後頭部で保持し、そして、着用感を意識しながら、他方の面ファスナー要素の引っ張り具合を調節して、保持した面ファスナー要素に重ねて軽く押圧するだけで着用が完了する。従って、特別な技術や器用さを要することなく、マスクの装着操作が非常に短時間で簡便に実施できる。例えば、手術に際してマスクを着用する場合、ストレスを感じることなく、忙しい手術前の時間を有効に使用できる。
【００３２】
顔面へのフィット感を調節するために、面ファスナー要素同士の係合箇所を容易に変更できるので、最適なフィット感を得ることが非常に簡便となる。従って、マスク本来の機能を発揮できるので、術者の呼気による感染を可及的に防止できる。また、最適なフィット感が得られる状態で着用することが可能であり、その状態を長時間維持することができるので、長時間の術中において術者の神経を処置に集中させることができる。特に、紐部材に多少の伸縮性を持たせると、より好ましいフィット感を達成でき、それを長時間維持することが可能となる。
【００３３】
市販の耳掛けマスクに面ファスナー要素を取り付けることによって、本考案のマスクを形成する場合、マスクの製造コストを安価にすることができる。即ち、種々の用途のマスクについて、容易な着脱を含め、本考案のマスクの利点を共有できる。
【００３４】
本考案のマスクでは、面ファスナーによる係合状態は堅固に維持され、紐部材を結ぶ場合に見られる結合部の緩みの発生は、面ファスナーには見られない。従って、一旦マスクを装着すると、マスクが緩むことは起こりにくい。また、紐部材は、面ファスナーとマスク本体との間に介在するだけであり、面ファスナーによって締め付ける程度を調節でき、締め付けるのは実質的に後頭部に位置する面ファスナー要素の部分であるので、紐部材が（顔面、耳付近の）皮膚に食い込むことを可及的に避けることができる。従って、従来のマスクを着用する場合に紐部材によって生じるか痒み等の発生を防止できる。
【００３５】
マスクの取り外しは、一方の面ファスナー要素を他方の面ファスナー要素から引き剥がすだけでよく、この操作は、後頭部を直接見ること無く、非常に簡単に実施できる。
【産業上の利用可能性】
【００３６】
本考案のマスクは、従来のマスク、特に外科用マスクの問題点を少なくとも軽減でき、従って、医療処置用マスクに好適である。しかしながら、他の用途のマスク、例えば一般用マスク（例えば、風邪患者用マスク、花粉症のようなアレルギー症状防止マスク等）として、また、産業用マスク（例えば食品工場用マスク、無菌室用マスク、半導体工場用マスク等）、防塵用マスク等としても使用できる。
【図面の簡単な説明】
【００３７】
【図１】図１は、本考案のマスクの一例を斜視図にて模式的に示す。
【符号の説明】
【００３８】
１０…マスク、１２…マスク本体、１４，１６，１８，２０…紐部材、
２２…面ファスナー、２４…面ファスナー第１要素、２６…面ファスナー第２要素。
【図１】
0003133160.tif 000003
【手続補正書】
【提出日】平成19年4月25日(2007.4.25)
【手続補正１】
【補正対象書類名】実用新案登録請求の範囲
【補正対象項目名】全文
【補正方法】変更
【補正の内容】
【実用新案登録請求の範囲】
【請求項１】
マスク本体、ならびに
マスク本体のその両縁に取り付けられた面ファスナー第１要素および面ファスナー第２要素
を有して成り、
マスク本体を人の鼻部および口部を覆うように配置する場合、面ファスナー第１要素および面ファスナー第２要素は、人の後頭部にて相互に係合できる面ファスナーを構成することを特徴とするマスク。
【請求項２】
面ファスナーは、いわゆるマジックテープ（登録商標）であり、面ファスナー第１要素および面ファスナー第２要素は、一方が係合部材として作用し、他方が被係合部材として作用することを特徴とする請求項１に記載のマスク。
【請求項３】
マスク本体、および
マスク本体の両縁に取り付けた紐部材、
マスク本体の一方の縁の紐部材に取り付けた面ファスナー第１要素、ならびに
マスク本体の他方の縁の紐部材に取り付けた面ファスナー第２要素
を有して成る、マスクであって、
マスク本体を人の鼻部および口部を覆うように配置する場合、面ファスナー第１要素および面ファスナー第２要素は、人の後頭部にて相互に係合できる面ファスナーを構成することを特徴とするマスク。
【請求項４】
マスク本体の両縁に取り付けた各々の紐部材は、マスク本体の各縁の対向する対の角部分に、それぞれの端部を取り付けた単一の紐部材であり、面ファスナー第１要素および面ファスナー第２要素は、それぞれの端部が、該単一の紐部材の中央付近に取り付けられている請求項３に記載のマスク。
【請求項５】
面ファスナーは、いわゆるマジックテープ（登録商標）であり、面ファスナー第１要素および面ファスナー第２要素は、一方が係合部材として作用し、他方が被係合部材として作用すること特徴とする請求項３または４に記載のマスク。
【請求項６】
紐部材は、長手方向に伸縮可能である請求項３〜５のいずれかに記載のマスク。
【請求項７】
マスクは、医療処置用マスクである請求項１〜６のいずれかに記載のマスク。
【請求項８】
手術用マスクまたは外科用マスクである請求項７に記載のマスク。
【請求項９】
面ファスナー第１要素および面ファスナー第２要素の長さが異なる請求項１〜８のいずれかに記載のマスク。